(57)【要約】      （修正有）【課題】電荷放出操作の柔軟性及び安全性を高めて、ユーザエクスペリエンスを改善できる電荷放出装置を提供する。【解決手段】電荷放出装置は、接続バー１０１と、接続バーの一端に接続される取手１０２と、接続バーの他端に接続される放電ヘッド１０３と、一端が接地点２００に電気的に接続され、他端が放電ヘッドに電気的に接続される導線１０４とを備える。電荷放出操作中に安全に取手を握持できるようにすることで、チャンバ内の帯電部位を柔軟に選択し、放電ヘッドをチャンバ内の帯電部位に接触させ、帯電部位と接地点とを導通させて、電荷放出を実現する。【選択図】図１
0003219231.tif 000002
【実用新案登録請求の範囲】
【請求項１】
接続バーと、
接続バーの一端に接続される取手と、
接続バーの他端に接続される放電ヘッドと、
一端が接地点に電気的に接続され、他端が前記放電ヘッドに電気的に接続される導線と
を備えることを特徴とする電荷放出装置。
【請求項２】
もう一つの導線によって前記放電ヘッドに電気的に接続されて、前記放電ヘッドの電圧を表示するための電圧ディスプレイ
をさらに備えることを特徴とする請求項１に記載の電荷放出装置。
【請求項３】
前記接続バーは、伸縮式接続バーである
ことを特徴とする請求項１に記載の電荷放出装置。
【請求項４】
前記放電ヘッドは、Ｕ型に構成されたフックヘッドである
ことを特徴とする請求項１に記載の電荷放出装置。
【請求項５】
前記取手と前記接続バーとの間に配置される、絶縁材料からなる鍔
をさらに備えることを特徴とする請求項１に記載の電荷放出装置。
【請求項６】
前記接続バーは、接続バー内腔を含み、前記取手は、取手内腔を含み、前記導線は、前記接続バー内腔及び前記取手内腔に配置され、前記導線の一端が前記取手内腔の開口から延出して前記接地点に電気的に接続される
ことを特徴とする請求項１に記載の電荷放出装置。
【請求項７】
前記放電ヘッドの材料は、導電材料を含み、前記導電材料は、銅、及び／又は、銀を含む
ことを特徴とする請求項１に記載の電荷放出装置。
【請求項８】
前記取手及び前記接続バーの材料は、絶縁材料を含む
ことを特徴とする請求項１に記載の電荷放出装置。
【請求項９】
前記電圧ディスプレイは、接続バーに固定される
ことを特徴とする請求項２に記載の電荷放出装置。
【請求項１０】
前記放電ヘッドは、Ｕ型に構成されたフックヘッドとストレート構造の放電ヘッドを同時に含む
ことを特徴とする請求項２に記載の電荷放出装置。
【考案の詳細な説明】
【技術分野】
【０００１】
本出願は、２０１８年４月２５日に出願された中国への特許出願(出願番号：２０１８２０６０１３０９．Ｘ)に基づき、上記中国への特許出願の優先権を主張して、上記中国への特許出願の全部の内容は本出願に導入され、参照とする。
【０００２】
本考案は、太陽電池技術分野に関し、特に、電荷放出装置に関する。
【背景技術】
【０００３】
科学技術の急速な発展及び人々の生活水準の継続的な向上に伴い、人々は環境問題に徐々に関心を高め始めている同時に、社会的生産と生活に必要なエネルギーの徐々な増加とともに、近年、太陽電池技術のような、環境汚染が相対的に少ないまたは汚染が全くない新エネルギー技術が、急速に発展している。太陽電池は、光電効果や光化学効果によって光エネルギーを電気エネルギーに直接変換する装置であり、太陽電池の中の薄膜太陽電池（ＣＩＧＳ）が主流となりつつある。近年、薄膜太陽電池は、質量が軽く、厚さ極めて薄く、曲げられるという利点があるので、その生産量が年々増加されている。
【０００４】
薄膜太陽電池の製造ラインでは、一般的に、イオン化チャンバなどのような、高電圧が印加されるチャンバが含まれ、薄膜太陽電池の製造ラインに対して設備メンテナンスを実行する前に、チャンバ内の各部品に人為的に接触することによる感電事故を避けるために、チャンバ内の帯電部位に対して電荷を放出する必要がある。
【０００５】
従来技術では、チャンバで電荷が集中され易い位置に電荷放出装置を配置し、電荷放出を実行する必要がある場合に、導線を用いて電荷放出装置と接地点とを導通させることで、電荷放出を実現する。上記の構成は、チャンバ内の帯電部位に対して電荷放出を実行できるが、チャンバ内に電荷が集中され易い位置が複数存在する場合には、対応される電荷放出装置を複数配置する必要があるため、電荷放出の柔軟性が低下し、ユーザエクスペリエンスが低下する。
【考案の概要】
【０００６】
本考案の実施例は、従来技術に存在する問題を克服するために、電荷放出装置を提供する。その構成は、以下のとおりである。
【０００７】
本考案に係る電荷放出装置は、
接続バーと、
接続バーの一端に接続される取手と、
接続バーの他端に接続される放電ヘッドと、
一端が接地点に電気的に接続され、他端が放電ヘッドに電気的に接続される導線とを備える。
【０００８】
本考案の実施例によって提供される電荷放出装置において、取手は、接続バーの一端に接続され、放電ヘッドは、接続バーの他端に接続され、導線は、その一端が電荷放出装置の外部の接地点に電気的に接続され、他端が放電ヘッドに電気的に接続される。このようにして、ユーザが電荷放出操作中に安全に取手を保持できるようにすることで、チャンバ内の帯電部位を柔軟に選択し、放電ヘッドをチャンバ内の帯電部位に接触させ、当該帯電部位と接地点とを導通させて、電荷放出を実現することにより、電荷放出操作の柔軟性及び安全性を高めて、ユーザエクスペリエンスを改善した。
【０００９】
一実施例において、電荷放出装置は、もう一つの導線によって放電ヘッドに電気的に接続される、放電ヘッドの電圧を表示するための電圧ディスプレイさらに備える。
【００１０】
一実施例において、接続バーは、伸縮式接続バーである。
【００１１】
一実施例において、放電ヘッドは、Ｕ型に構成されたフックヘッドである。
【００１２】
一実施例において、電荷放出装置は、取手と接続バーとの間に配置される、絶縁材料からなる鍔を、さらに備える。
【００１３】
一実施例において、接続バーは、接続バー内腔を含み、取手は、取手内腔を含み、導線は、接続バー内腔及び取手内腔に配置されて、当該導線の一端が取手内腔の開口から延出して接地点に電気的に接続される。
【００１４】
一実施例において、放電ヘッドの材料は、導電材料を含み、導電材料は、銅、及び／又は、銀を含む。
【００１５】
一実施例において、取手及び前記接続バーの材料は、絶縁材料を含む。
【００１６】
一実施例において、電圧ディスプレイは、接続バーに固定される。
【００１７】
上記の一般的な説明および以下の詳細な説明は、ただ、例示的なもの或いは解釈的なものだけであり、本考案を制限できないと、理解すべきである。
【図面の簡単な説明】
【００１８】
ここでの図面は、明細書中に組み込まれて本明細書の一部を構成して、本考案に合致する実施例を示し、また明細書と共に本考案の原理を解釈するのに、使用される。
【図１】図１は、例示的な一実施例に係る電荷放出装置の構成を示す模式図である。
【図２ａ】図２ａは、例示的な一実施例に係る電荷放出装置の構成を示す模式図である。
【図２ｂ】図２ｂは、例示的な一実施例に係る電荷放出装置の構成を示す模式図である。
【図３ａ】図３ａは、例示的な一実施例に係る電荷放出装置の構成を示す模式図である。
【図３ｂ】図３ｂは、例示的な一実施例に係る電荷放出装置の構成を示す模式図である。
【図４】図４は、例示的な一実施例に係る電荷放出装置の構成を示す模式図である。
【図５】図５は、例示的な一実施例に係る電荷放出装置を示す断面図である。
【考案を実施するための形態】
【００１９】
以下、例示的な一実施例を詳細に説明し、その例を図面に示す。以下の説明で、図面を言及する場合、特に明示しない限り、互いに異なる図面における同一の符号は、同一または類似の要素を指す。以下の例示的な一実施例に記載される実施形態は、本考案と一致するすべての実施形態を表すものではない。逆に、それらは、添付の特許請求の範囲に詳述される本考案の態様と一致する装置および方法の単なる例である。
【００２０】
本考案の実施例は、電荷放出装置を提供する。電荷放出装置は、図１に示したように、接続バー１０１と、取手１０２と、放電ヘッド１０３と、導線１０４とを、備える。取手１０２は、接続バー１０１の一端に接続され、放電ヘッド１０３は、接続バー１０１の他端に接続され、導線１０４は、その一端が電荷放出装置の外部の接地点２００に電気的に接続され、その他端が放電ヘッド１０３に電気的に接続され、電圧ディスプレイ１０５は、放電ヘッド１０３の電圧を表示する。
【００２１】
一例として、取手及び接続バーの材料は、絶縁材料を含んでもよく、その中、絶縁材料は、繊維製品、ゴム、プラスチック、ガラス、セラミック及びその製品などを含んでもよい。
【００２２】
放電ヘッドの材料は、導電材料を含み、その中、導電材料は、銅、及び／又は、銀を含む。例えば、導電材料は、銅−銀合金である。
【００２３】
取手は、接続バーの一端にスリーブ接続されてもよいし、また、接続バーの一端に、ボンディングされるか、或いは、係合接続されてもよい。放電ヘッドは、接続バーの他端にスリーブ接続されてもよいし、また、接続バーの他端に、ボンディングされるか、或いは、係合接続されてもよい。
【００２４】
接続バーは、所定の長さの接続バーであってもよいし、伸縮式接続バーであってもよく、その中、伸縮式接続バーは、多段接続バーがスリーブ接続されて構成された伸縮式接続バーであってもよく、伸縮可能な材料からなる伸縮式接続バーであってもよい。伸縮式接続バーは、ユーザによって放電ヘッドと取手との間の距離が調整できて、チャンバで互いに異なる距離の位置に対する電荷放出が便利になる。伸縮式接続バーの伸縮レベル及び伸縮角度を調整することで、放電ヘッドと取手との間の距離を調整できるだけでなく、伸縮式接続バーが曲げられる形状、或いは、曲げられる角度なども調整でき、例えば、伸縮式接続バーをＳ状或Ｌ状などに調整できることを、説明する必要がある。
【００２５】
本考案の実施例によって提供される電荷放出装置において、取手は、接続バーの一端に接続され、放電ヘッドは、接続バーの他端に接続され、導線は、その一端が電荷放出装置の外部の接地点に電気的に接続され、他端が放電ヘッドに電気的に接続される。このようにして、ユーザが電荷放出操作中に安全に取手を保持できるようにすることで、チャンバ内の帯電部位を柔軟に選択し、放電ヘッドをチャンバ内の帯電部位に接触させ、導電部位と接地点とを導通させて、電荷放出を実現することにより、電荷放出操作の柔軟性及び安全性を高めて、ユーザエクスペリエンスを改善した。
【００２６】
図２ａに示したように、電荷放出装置は、もう一つの導線１０６によって放電ヘッド１０３に電気的に接続されて、放電ヘッドの電圧を表示する電圧ディスプレイ１０５を、さらに備える。
【００２７】
一例として、電圧ディスプレイ１０５は、図２ａに示したように、接続バー１０１に固定されてもよく、例えば、ボルトなどのような固定部材によって、接続バーの側壁に固定されるか、或いは、ボンディング方法または係合接続方法によって、接続バーの側壁に固定されてもよい。電圧ディスプレイ１０５は、図２ｂに示したように、接続バー１０１から分離されてもよい。
【００２８】
電圧ディスプレイが接続バーの側壁に固定され、且つ、放電ヘッドと電圧ディスプレイとが電気的に接続されるので、放電ヘッドをチャンバのある位置に接触させる場合、ユーザが、当該電荷放出装置を使用して電荷放出を実行できるようにする同時に、接触させた位置の電圧である当該位置の帯電状況を直観的に了解できるようにすることで、電荷放出操作の安全性を高めて、ユーザエクスペリエンスを改善した。
【００２９】
一実施例において、図３ａに示したように、放電ヘッド１０３は、Ｕ型に構成されたフックヘッドである。
【００３０】
一例として、放電ヘッド１０３は、図３ａに示したＵ型に構成されたフックヘッドであってもよく、図３ｂに示したＵ型に構成されたフックヘッド１０３１とストレート構造の放電ヘッド１０３２を同時に含んでもよい。
【００３１】
放電ヘッドがＵ型に構成されたフックヘッドである場合、ユーザが当該電荷放出装置を使用してチャンバから異物を容易に釣り出すことができるようにして、ユーザエクスペリエンスを改善した。
【００３２】
一実施例において、図４に示したように、電荷放出装置は、絶縁材料からなる鍔１０７をさらに備え、その中、鍔１０７は、取手１０２と接続バー１０１との間に配置される。
【００３３】
取手と接続バーとの間に絶縁材料からなる鍔を配置することで、ユーザの手の取手上の握持位置が前方に近すぎて発生する感電事故を防止できることで、電荷放出の安全レベルを高めて、ユーザエクスペリエンスを改善した。
【００３４】
一実施例において、図５に示したように、接続バー１０１は、接続バー内腔１１１を含み、取手１０２は、取手内腔１１２を含み、導線１０４は、接続バー内腔１１１及び取手内腔１１２に配置され、導線１０４は、その一端が取手内腔１１２の開口１１２１から延出して、接地点２００に電気的に接続される。
【００３５】
導線を接続バー内腔及び取手内腔に配置することで、電荷放出装置を使用する時に、接続バー及び取手を用いて導線を保護して、導線が衝突によって損傷されることを防止できることで、電荷放出装置の信頼性の高めて、ユーザエクスペリエンスを改善した。
【００３６】
本分野の技術者は、明細書を考慮してここで開示した本開示を実践した後、本考案のその他の実施方案を容易に想到できる。本出願は、本考案のいずれの変形、用途、又は、アダプティブな変更をカバーすることを目指す。それら変形、用途、又は、アダプティブな変更は、本考案の一般的な原理をフォローし、また、本考案で開示しなかった本技術分野中の公知の常識や共通の技術的手段を含む。明細書及び実施例は、例示に過ぎないと考えられるべきであり、本考案の真の範囲および精神は、以下の特許請求の範囲によって指摘される。
【００３７】
本考案は、以上に既に説明し、また、図面に示す厳密な構造に限定されなく、本考案の範囲から逸脱することなく様々な修正や変更が可能であることを、理解すべきである。本考案の範囲は、添付の特許請求の範囲によってのみ限定される。
【図１】
0003219231.tif 000003
【図２ａ】
0003219231.tif 000004
【図２ｂ】
0003219231.tif 000005
【図３ａ】
0003219231.tif 000006
【図３ｂ】
0003219231.tif 000007
【図４】
0003219231.tif 000008
【図５】
0003219231.tif 000009